(57)【特許請求の範囲】
【請求項１】
ダウンリンクサービスによって開始された、前記ダウンリンクサービスのサービス伝送レートが含まれるアドミッション要求メッセージを受信し、
前記ダウンリンクサービスのサービス伝送レートに応じて、前記ダウンリンクサービスを実行するために必要なリソースブロック（ＲＢ）の数を決定し、
セルの残存するダウンリンクのＲＢの数が、前記ダウンリンクサービスを実行するために必要なＲＢの数以上である場合、前記ダウンリンクサービスを実行するために必要なＲＢの数及び前記セルの無線環境に応じて、前記ダウンリンクサービスを実行するために必要なパワーを決定し、
セルの残存するダウンリンクのパワーが、前記ダウンリンクサービスを実行するために必要なパワー以上である場合、前記ダウンリンクサービスにアクセスする
ダウンリンクサービスアドミッション制御方法。
【請求項２】
請求項１に記載の方法であって、更に
前記セルの残存するダウンリンクのＲＢの数が、前記ダウンリンクサービスを実行するために必要なＲＢの数より小さい場合、前記ダウンリンクサービスへのアクセスを拒否する
方法。
【請求項３】
請求項１に記載の方法であって、更に、
前記セルの残存するダウンリンクのパワーが、前記ダウンリンクサービスを実行するために必要なパワーより小さい場合、前記ダウンリンクサービスへのアクセスを拒否する
方法。
【請求項４】
請求項１から３のうちいずれか１項に記載の方法であって、
前記ダウンリンクサービスを実行するために必要なＲＢの数は、前記ダウンリンクサービスのサービス伝送レートに正比例する
方法。
【請求項５】
請求項１から３のうちいずれか１項に記載の方法であって、
前記セルの無線環境は、メディアアクセス制御（ＭＡＣ）層からフィードバックされるセルの現在の周波数スペクトル利用率、各ＲＢの伝送品質を満たすブロック誤り率（ＢＬＥＲ）に必要なパワー及びセルのパワー補正値を少なくとも含む
方法。
【請求項６】
ダウンリンクサービスによって開始される、前記ダウンリンクサービスのサービス伝送レートを含むアドミッション要求メッセージを受信するために構成される受信ユニットと、
前記ダウンリンクサービスのサービス伝送レートに応じて、前記ダウンリンクサービスを実行するために必要なリソースブロック（ＲＢ）の数を決定するために構成される第１の決定ユニットと、
前記第１の決定ユニットが、セルの残存するダウンリンクのＲＢの数が前記ダウンリンクサービスを実行するために必要なＲＢの数以上であることを決定する場合、前記ダウンリンクサービスを実行するために必要なＲＢの数及び前記セルの無線環境に応じて、前記ダウンリンクサービスを実行するために必要なパワーを決定するために構成される第２の決定ユニットと、
前記第２の決定ユニットが、セルの残存するダウンリンクのパワーが前記ダウンリンクサービスを実行するために必要なパワー以上であることを決定する場合、前記ダウンリンクサービスにアクセスするために構成されるアクセスユニットと
を含むダウンリンクサービスアドミッション制御装置。
【請求項７】
請求項６に記載の装置であって、
前記第１の決定ユニットが、前記セルの残存するダウンリンクのＲＢの数が前記ダウンリンクサービスを実行するために必要なＲＢの数より小さいことを決定する場合、前記ダウンリンクサービスへのアクセスを拒否するために構成される第１の拒否ユニット
を更に含む装置。
【請求項８】
請求項６に記載の装置であって、
前記第２の決定ユニットが、前記セルの残存するダウンリンクのパワーが前記ダウンリンクサービスを実行するために必要なパワーより小さいことを決定する場合、前記ダウンリンクサービスへのアクセスを拒否するために構成される第２の拒否ユニット
を更に含む装置。
【請求項９】
請求項６から８のうちいずれか１項に記載の装置であって、
前記ダウンリンクサービスを実行するために必要なＲＢの数は、前記ダウンリンクサービスのサービス伝送レートに正比例する
装置。
【請求項１０】
請求項６から８のうちいずれか１項に記載の装置であって、
前記セルの無線環境は、メディアアクセス制御（ＭＡＣ）層からフィードバックされるセルの現在の周波数スペクトル利用率、各ＲＢの伝送品質を満たすブロック誤り率（ＢＬＥＲ）に必要なパワー及びセルのパワー補正値を少なくとも含む
装置。
【発明の詳細な説明】
【技術分野】
【０００１】
本発明は、通信分野に関し、特に、ダウンリンクサービスアドミッション制御方法及び装置に関する。
【背景技術】
【０００２】
移動通信システムにおいて、アドミッション制御とは、アドミッション要求メッセージに含まれる、アクセス待ちサービスがリソースに対する要求及びセルの現在のリソースのステータスに応じて、新たなサービスを受け付けるかどうかを決定することである。
【０００３】
ロング・ターム・エボリューション（Ｌｏｎｇ  Ｔｅｒｍ  Ｅｖｏｌｕｔｉｏｎ：ＬＴＥ）システムにおいて、すべて直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）技術がアップリンク及びダウンリンクに用られ、物理リソースはこれらのアップリンク及びダウンリンクにグリッド割り当て方式で割り当てられる。３ＧＲＰプロトコルは、ダウンリンクサービスに対して、各制御チャネル及びデータチャネルが、所定の規則に従ってリソースグリッドにマッピングされた後に、無線チャネル上で伝送されることを規定している。従って、ＬＴＥシステムにおいてアクセス待ちサービスも、伝送するために、分解され、リソースグリッドにマッピングされる必要があり、ここで、リソースグリッドの最小ユニットが、リソースエレメント（Ｒｅｓｏｕｒｃｅ  Ｅｌｅｍｅｎｔ：ＲＥ）である。
【０００４】
時間領域上での連続するＮｓｙｍｂｏｌ個のＯＦＤＭシンボル及び周波数領域上でのＮｓｃ個のサブキャリアが、１つのリソースブロック（Ｒｅｓｏｕｒｃｅ  Ｂｌｏｃｋ：ＲＢ）を構成し、同一のリソースグリッドにおいて、複数のユーザの様々なサービスが、伝送されることができる。しかし、一のＲＢは、ある瞬間に、一人のユーザの一つのサービスによって使用されることができるだけである。従って、ＬＴＥシステムにおいて、システム容量、即ちアクセス可能な且つ伝送可能なサービスの総量は、ＲＢの数によって制限されることになる。
【０００５】
構成方法は、ＬＴＥシステムにおいては、ダウンリンクパワーが用いられる。ＬＴＥシステムは、伝送及びカバレッジの要求を確保するために、各ＲＥに一定のパワーを割り当てる。理論的には、メディアアクセス制御（Ｍｅｄｉａ  Ａｃｃｅｓｓ  Ｃｏｎｔｒｏｌ：ＭＡＣ)層が、適切なスケジューリング方法さえ採用すれば、パワー及びＲＢの最大限の利用が同時に確保されることができ、即ち、ＲＢの割り当てが完了すると同時に、パワーの割り当てもちょうど完了し、パワーの割り当てが完了すると同時に、ＲＢも残っていない。
【０００６】
しかし、既存のＬＴＥシステムにおいて、実際の適用は、こんなに理想的ではない。ダウンリンクのＲＢとパワーとの正確なマッチングはＭＡＣ層のスケジューリングにより達成されることが困難であり、ＲＢリソースが十分あるが、十分なパワーが割り当てられない状況は、サービス伝送におけるより高いビット誤り率を引き起こし、更に伝送失敗が発生する可能性すらある。
【発明の概要】
【発明が解決しようとする課題】
【０００７】
本発明の実施形態は、ＭＡＣ層のスケジューリングに不足が存在する場合でさえも、アクセス待ちサービスの許可の判断を正確に行い、これによって、サービスがセルを許可された後に、そのサービスをビット誤り率等のような伝送要求に適合させ、システムの安定性を向上させ、セルの様々な位置でユーザーエクスペリエンスを確保するためのダウンリンクサービスアドミッション制御方法を提供する。
【課題を解決するための手段】
【０００８】
上記目的を達成するために、本発明の技術な解決は、以下のように実現される。
本発明は、
ダウンリンクサービスのサービス伝送レートが含まれるダウンリンクサービスによって開始されるアドミッション要求メッセージを受信し、
前記ダウンリンクサービスのサービス伝送レートに応じて、前記ダウンリンクサービスを実行するために必要なリソースブロック（ＲＢ）の数を決定し、
【０００９】
セルの残存するダウンリンクのＲＢの数が、前記ダウンリンクサービスを実行するために必要なＲＢの数以上である場合、前記ダウンリンクサービスを実行するために必要なＲＢの数及び前記セルの無線環境に応じて、前記ダウンリンクサービスを実行するために必要なパワーを決定し、
セルの残存するダウンリンクのパワーが、前記ダウンリンクサービスを実行するために必要なパワー以上である場合、前記ダウンリンクサービスにアクセスする
ダウンリンクサービスアドミッション制御方法を提供する。
この方法は、
【００１０】
前記セルの残存するダウンリンクにおけるＲＢの数が、前記ダウンリンクサービスを実行するために必要なＲＢの数より小さい場合、前記ダウンリンクサービスへのアクセスを拒否することを更に含んでもよい。
この方法は、
【００１１】
前記セルの残存するダウンリンクのパワーが、前記ダウンリンクサービスを実行するために必要なパワーより小さい場合、前記ダウンリンクサービスへのアクセスを拒否することをを更に含んでもよい。
更に、前記ダウンリンクサービスを実行するために必要なＲＢの数は、前記ダウンリンクサービスのサービス伝送レートに正比例してもよい。
【００１２】
更に、前記セルの無線環境は、メディアアクセス制御（ＭＡＣ）層からフィードバックされるセルの現在の周波数スペクトル利用率、各ＲＢの伝送品質を満たすブロック誤り率（ＢＬＥＲ）に必要なパワー及びセルのパワー補正値を少なくとも含んでもよい。
本発明は、更に、
【００１３】
ダウンリンクサービスによって開始される、前記ダウンリンクサービスのサービス伝送レートを含むアドミッション要求メッセージを受信するために構成される受信ユニットと、
【００１４】
前記ダウンリンクサービスのサービス伝送レートに応じて、前記ダウンリンクサービスを実行するために必要なリソースブロックＲＢの数を決定するために構成される第１の決定ユニットと、
【００１５】
前記第１の決定ユニットが、セルの残存するダウンリンクのＰＢの数が前記ダウンリンクサービスを実行するために必要なＲＢの数以上であることを決定する場合、前記ダウンリンクサービスを実行するために必要なＲＢの数及び前記セルの無線環境に応じて、前記ダウンリンクサービスを実行するために必要なパワーを決定するために構成される第２の決定ユニットと、
【００１６】
前記第２の決定ユニットが、セルの残存するダウンリンクのパワーが前記ダウンリンクサービスを実行するために必要なパワー以上であることを決定する場合、前記ダウンリンクサービスにアクセスするために構成されるアクセスユニットと
を含むダウンリンクサービスアドミッション制御装置を提供する。
この装置は、
【００１７】
前記第１の決定ユニットが、前記セルの残存するダウンリンクのＰＢの数が前記ダウンリンクサービスを実行するために必要なＲＢの数より小さいことを決定する場合、前記ダウンリンクサービスへのアクセスを拒否するために構成される第１の拒否ユニットを更に含んでもよい。
この装置は、
【００１８】
前記第２の決定ユニットが、前記セルの残存するダウンリンクのパワーが前記ダウンリンクサービスを実行するために必要なパワーより小さいことを決定する場合、前記ダウンリンクサービスへのアクセスを拒否する第２の拒否ユニットを更に含んでもよい。
前記ダウンリンクサービスを実行するために必要なＲＢの数は、前記ダウンリンクサービスのサービス伝送レートに正比例してもよい。
【００１９】
前記セルの無線環境は、ＭＡＣ層からフィードバックされるセルの現在の周波数スペクトル利用率、各ＲＢの伝送品質を満たすＢＬＥＲに必要なパワー及びセルのパワー補正値を少なくとも含んでもよい。
【００２０】
本発明の実施形態において、ダウンリンクサービスによって開始されるアドミッション要求メッセージを受信し、アドミッション要求メッセージに、前記ダウンリンクサービスのサービス伝送レートが含まれ、ダウンリンクサービスのサービス伝送レートに応じて、ダウンリンクサービスを実行するために必要なリソースブロックＲＢの数を決定し、セルの残存するダウンリンクのＰＢの数が、ダウンリンクサービスを実行するために必要なＲＢの数以上である場合、ダウンリンクサービスを実行するために必要なＲＢの数及びセルの無線環境に応じて、ダウンリンクサービスを実行するために必要なパワーを決定し、セルの残存するダウンリンクのパワーが、ダウンリンクサービスを実行するために必要なパワー以上である場合、ダウンリンクサービスにアクセスする。本発明の実施形態において、セルの残存するダウンリンクのＰＢの数が、ダウンリンクサービスを実行するために必要なＲＢの数を満たすことができるかどうかを考慮するだけではなく、セルの残存するダウンリンクのパワーが、ダウンリンクサービスを実行するために必要なパワーを満たすことができるかどうかも考慮することで、ＲＢリソースが十分あるが、十分なパワーが割り当てられず、サービス伝送におけるより高いビット誤り率を引き起こし、更に伝送失敗が発生する可能性があることを回避できる。
【００２１】
本発明の実施形態により提供されるダウンリンクサービスアドミッション制御方法によれば、ＲＢリソースのみを考慮する従来のアドミッション方法の欠点を補い、ＭＡＣ層のスケジューリングに不足が存在する場合でさえも、アクセスされたサービスの正確な許可の判断が確保され、それゆえ、サービスがセルを許可した後に、ビット誤り率等の伝送要求に適合することが可能なサービスを確保でき、それにより、システムの安定性を向上させ、セルの様々位置でユーザーエクスペリエンスを確保する。
【図面の簡単な説明】
【００２２】
【図１】本発明の一実施形態により提供されるダウンリンクサービスアドミッション制御方法の具体的なフローチャートを示す。
【図２】本発明の一実施形態により提供されるダウンリンクサービスアドミッション制御装置の第１の構成のブロック図を示す。
【図３】本発明の一実施形態により提供されるダウンリンクサービスアドミッション制御装置の第２の構成のブロック図を示す。
【図４】本発明の一実施形態により提供されるダウンリンクサービスアドミッション制御装置の第３の構成のブロック図を示す。
【発明を実施するための形態】
【００２３】
従来技術において、既存のＬＴＥシステムにおいて、実際の適用が、こんなに理想的ではなく、ダウンリンクＲＢとパワーとの正確なマッチングがＭＡＣ層のスケジューリングにより達成されることが困難であり、ＲＢリソースが十分であるが、十分なパワーが割り当てられず、サービス伝送におけるより高いビット誤り率を引き起こし、更に伝送失敗が発生する可能性があるという問題を解決するために、ダウンリンクサービスアドミッション制御方法が本発明の実施形態により提供される。具体的な処理プロセスは、図１に示すように、以下のステップを含む。
【００２４】
ステップ１０１：ダウンリンクサービスによって開始される、ダウンリンクサービスのサービス伝送レートが含まれるアドミッション要求メッセージを受信する。
ステップ１０２：ダウンリンクサービスのサービス伝送レートに応じて、ダウンリンクサービスを実行するために必要なＲＢの数を決定する。
【００２５】
ステップ１０３：セルの残存するダウンリンクのＰＢの数が、ダウンリンクサービスを実行するために必要なＲＢの数以上である場合、ダウンリンクサービスを実行するために必要なＲＢの数及びセルの無線環境に応じて、ダウンリンクサービスを実行するために必要なパワーを決定する。
【００２６】
ステップ１０４：セルの残存するダウンリンクのパワーが、ダウンリンクサービスを実行するために必要なパワー以上である場合、ダウンリンクサービスにアクセスする。
【００２７】
図１に示すように、ステップ１０２、ステップ１０３及びステップ１０４から分かるように、プロセスが実施される場合に、まず、セルの残存するダウンリンクのＰＢの数がダウンリンクサービスを実行するために必要なＲＢの数を満たすことができるかどうかを決定し、満たす場合、即ち、セルの残存するダウンリンクのＰＢの数が、ダウンリンクサービスを実行するために必要なＲＢの数以上である場合、セルの残存するダウンリンクのパワーがダウンリンクサービスを実行するために必要なパワーを満たすことができるかどうかを決定し続け、満たす場合、即ち、セルの残存するダウンリンクのパワーが、ダウンリンクサービスを実行するために必要なパワー以上である場合、ダウンリンクサービスにアクセスする。
【００２８】
プロセスが実施される場合に、セルの残存するダウンリンクのＰＢの数がダウンリンクサービスを実行するために必要なＲＢの数を満たすことができないことを決定する場合、即ち、セルの残存するダウンリンクのＰＢの数が、ダウンリンクサービスを実行するために必要なＲＢの数より小さい場合、セルの残存するダウンリンクのパワーがダウンリンクサービスを実行するために必要なパワーを満たすことができるかどうかを判定し続ける必要がなく、ダウンリンクサービスへのアクセスを直接に拒否してよい。
【００２９】
同様に、プロセスが実施される場合に、セルの残存するダウンリンクのパワーがダウンリンクサービスを実行するために必要なパワーを満たすことができないことを決定する場合、即ち、セルの残存するダウンリンクのパワーが、ダウンリンクサービスを実行するために必要なパワーより小さい場合、ダウンリンクサービスへのアクセスを直接に拒否してもよい。
【００３０】
前記具体的な実行ステップからわかるように、本発明の実施形態において、セルの残存するダウンリンクのＰＢの数が、ダウンリンクサービスを実行するために必要なＲＢの数を満たすことができるかどうかを考慮するだけではなく、セルの残存するダウンリンクのパワーが、ダウンリンクサービスを実行するために必要なパワーを満たすことができるかどうかも考慮することで、ＲＢリソースが十分であるが、十分なパワーが割り当てられず、サービス伝送におけるより高いビット誤り率を引き起こし、更に伝送失敗が発生する可能性があることを回避できる。
【００３１】
図１に示すようなプロセスのステップ１０２が実行される場合に、ダウンリンクサービスのサービス伝送レートに応じて、ダウンリンクサービスを実行するために必要なＲＢの数が決定され、ここで、ダウンリンクサービスを実行するために必要なＲＢの数は、ダウンリンクサービスのサービス伝送レートに正比例する。
【００３２】
図１に示すようなプロセスのステップ１０３が実行される場合に、セルの無線環境及びダウンリンクサービスを実行するために必要なＲＢの数に応じて、ダウンリンクサービスを実行するために必要なパワーが決定され、ここで、セルの無線環境は、ＭＡＣ層からフィードバックされるセルの現在の周波数スペクトル利用率、各ＲＢの伝送品質を満たすブロック誤り率 (Ｂｌｏｃｋ  Ｅｒｒｏｒ  Ｒａｔｉｏ：ＢＬＥＲ）に必要なパワー及びセルのパワー補正値等のパラメータを少なくとも含む。セルの無線環境は、他のパラメータを更に含む可能性があり、具体的なパラメータは、実際の状況に応じて、決定される。
本発明の実施形態において、以下のような公式を用い、ダウンリンクサービスを実行するために必要なパワーを決定できる。
Ｐ＿ｒｅｑ ＝ｆ＿ＲＢ + ｆ＿ＢＬＥＲ + ｆ＿Ｃｅｌｌ、
【００３３】
ここで、Ｐ＿ｒｅｑは、ダウンリンクサービスを実行するために必要なパワーであり、ｆ＿ＢＬＥＲは、セルにおける１つのＲＢの伝送品質を満たすＢＬＥＲを保証するために必要なパワーであり、ｆ＿Ｃｅｌｌは、セル無線環境と関連するパワー補正値であり、ｆ＿ＲＢは、ダウンリンクで伝送されるサービスのＲＢの数である。
これから、複数の具体的な実施形態を用いて説明する。
実施形態１  
【００３４】
例えば、セルは、マクロセルであり、無線環境は、一般的な都市地域であり、セルの帯域幅は、１０ＭＨｚであり、半径は、６００ｍであり、ダウンリンク送信パワーは、４０ｄＢｍであり、２ＧＨｚのキャリア周波数を利用し、アンテナと端末との間の高さは、１５ｍであり、シングルアンテナで送信し、セルのダウンリンクの平均変調符号化率は、０．２３６である。アクセス待ちサービスは、１２．８ｋｂｐｓのボイス・オーバ・インターネット・プロトコル（Ｖｏｉｃｅ  ｏｖｅｒ  Ｉｎｔｅｒｎｅｔ  Ｐｒｏｔｏｃｏｌ：ＶｏＩＰ）サービスである。セルにおける現在の残存のＲＢの数は、６であり、残存のパワーＰ＿ｒｅｍａｉｎは、３１ｄＢｍである。本実施形態では、次の説明の便利のために、ダウンリンクサービスを実行するために必要なＲＢの数は、Ｎ＿ＲＢと称される。
【００３５】
本実施形態では、アクセス待ちサービスのレートに応じて、ダウンリンクにおいて１ｍｓ内にサービスを伝送するために必要なＲＢの数Ｎ＿ＲＢ＝０．２４であることを決定し、０．２４＜６であり、これによって、ダウンリンクでは、このダウンリンクサービスを伝送するためのＲＢの数が十分ある。
ダウンリンクにおいてこのサービスを伝送するために必要なパワーは前記公式により推測され、具体的な計算は、以下のとおりである。
Ｐ＿ｒｅｑ ＝ｆ＿ＲＢ + ｆ＿ＢＬＥＲ + ｆ＿Ｃｅｌｌ、
ｆ＿ＲＢ＝１０＊ｌｇ（Ｎ＿ＲＢ）＝−６．１９７９、
【００３６】
ｆ＿ＢＬＥＲ＝ＳＩＮＲ−ｆ＿ＳＩＮＲ＝−３．６３、  ここで、信号対干渉雑音比（Ｓｉｇｎａｌ  ｔｏ  Ｉｎｔｅｒｆｅｒｅｎｃｅ  ａｎｄ  Ｎｏｉｓｅ  Ｒａｔｉｏ：ＳＩＮＲ）は、現在の平均変調符号化方式がセルに用いられる場合、データがセルのエッジで所定のＢＬＥＲを満たすことを保証するために必要なＳＩＮＲ値であり、ｆ＿ＳＩＮＲは、ＳＩＮＲ値を保証するために必要なパワーである。
ｆ＿Ｃｅｌｌ＝−３６．１７、
【００３７】
上記のように、ダウンリンクにおけるアクセス待ちサービスに必要なパワーは、Ｐ＿ｒｅｑ ＝ｆ＿ＲＢ + ｆ＿ＢＬＥＲ + ｆ＿Ｃｅｌｌ＝−６．１９７９−３．６３−３６．１７＝−３３．６０２１ｄＢｍである。
Ｐ＿ｒｅｑ＜Ｐ＿ｒｅｍａｉｎであり、これによって、ダウンリンクでは、このダウンリンクサービスを伝送するためのパワーが十分ある。
上記データから、当該セルが、このダウンリンクサービスにアクセスできることを決定できる。
実施形態２
【００３８】
例えば、セルの基本環境は、実施形態１における基本環境と同じであり、アクセス待ちのサービスは、１２８ｋｂｐｓのサービスであり、セルにおける現在の残存のＲＢの数は、２であり、残存するダウンリンクのパワーは、２６ｄＢｍである。
【００３９】
本実施形態では、アクセス待ちサービスのレートに応じて、ダウンリンクにおいて１ｍｓ内にサービスを伝送するために必要なＲＢの数Ｎ＿ＲＢ＝４．７４であることを決定し、４．７４＞２であるため、このダウンリンクは、このサービスを伝送するためのＲＢの数が十分ではない。したがって、セルは、ダウンリンクサービスへのアクセスを拒否し、パワーに基づく判定は必要がない。
実施形態３
【００４０】
例えば、セルは、マクロセルであり、無線環境は、郊外であり、セルの帯域幅は、１０ＭＨｚであり、半径は、１５００ｍであり、ダウンリンク送信パワーは、４０ｄＢｍであり、２ＧＨｚのキャリア周波数を利用して、アンテナと端末との間の高さは、４０ｍであり、シングルアンテナで送信し、セルのダウンリンクにおける平均変調符号化率は、０．６０２である。アクセス待ちサービスは、６４ｋｂｐｓのサービスである。セルの現在の残存のＲＢの数は、３であり、残存のパワーＰ＿ｒｅｍａｉｎは、２６ｄＢｍである。
【００４１】
本実施形態では、アクセス待ちサービスのレートに応じて、ダウンリンクにおける１ｍｓ内にサービスを伝送するために必要なＲＢの数Ｎ＿ＲＢ＝２．５７であることを決定し、２．５７＜３であり、これによって、このダウンリンクは、このサービスを伝送するためのＲＢの数が十分ある。
前記公式により、このサービスをダウンリンクで伝送するために必要なパワーを推測し、具体的な計算は、以下のとおりである。
Ｐ＿ｒｅｑ ＝ｆ＿ＲＢ + ｆ＿ＢＬＥＲ + ｆ＿Ｃｅｌｌ、
ｆ＿ＲＢ＝１０＊ｌｇ（Ｎ＿ＲＢ）＝３．７４、
【００４２】
ｆ＿ＢＬＥＲ＝ＳＩＮＲ−ｆ＿ＳＩＮＲ＝３．６９、  ここで、ＳＩＮＲは、セルにおける現在の平均変調符号化方式を用いる場合、データがセルのエッジで所定のＢＬＥＲを満たすことを保証するために必要なＳＩＮＲ値であり、ｆ＿ＳＩＮＲは、ＳＩＮＲ値を保証するために送信に必要なパワーである。
ｆ＿Ｃｅｌｌ＝２１．５、
【００４３】
上記のように、ダウンリンクにおけるアクセス待ちサービスに必要なパワーがＰ＿ｒｅｑ ＝ｆ＿ＲＢ + ｆ＿ＢＬＥＲ + ｆ＿Ｃｅｌｌ＝２８．９３ｄＢｍである。
Ｐ＿ｒｅｑ＞Ｐ＿ｒｅｍａｉｎなので、このダウンリンクは、このサービスを伝送するためのパワーが十分ではない。
上記データから、当該セルが、このダウンリンクサービスにアクセスできなく、アドミッション要求を拒否することを決定できる。
【００４４】
上記３つの実施形態からわかるように、本発明の実施形態により提供されるダウンリンクサービスアドミッション制御方法は、多種類の無線環境に適用され、セルのサービス伝送の基本的な品質要求を保証でき、ユーザーエクスペリエンスを向上させることに有利である。
同一の発明思想に基づいて、本発明の実施形態は、更にダウンリンクサービスアドミッション制御装置を提供し、その装置の構成は図２に示すように、
【００４５】
ダウンリンクサービスによって開始された、ダウンリンクサービスのサービス伝送レートが含まれるアドミッション要求メッセージを受信することために構成される受信ユニット２０１と、
【００４６】
ダウンリンクサービスのサービス伝送レートに応じて、ダウンリンクサービスを実行するために必要なリソースブロックＲＢの数を決定するために構成される第１の決定ユニット２０２と、
ここで、ダウンリンクサービスを実行するために必要なＲＢの数は、前記ダウンリンクサービスのサービス伝送レートに正比例し、
【００４７】
第１の決定ユニット２０２がセルの残存するダウンリンクのＰＢの数が前記ダウンリンクサービスを実行するために必要なＲＢの数以上であることを決定する場合、前記ダウンリンクサービスを実行するために必要なＲＢの数及びセルの無線環境に応じて、ダウンリンクサービスを実行するために必要なパワーを決定するために構成される第２の決定ユニット２０３と、
【００４８】
ここで、前記セルの無線環境は、ＭＡＣ層からフィードバックされるセルの現在の周波数スペクトル利用率、各ＲＢの伝送品質を満たすＢＬＥＲに必要なパワー及びセルパワー補正値を少なくとも含み、
【００４９】
第２の決定ユニット２０３がセルの残存するダウンリンクのパワーが前記ダウンリンクサービスを実行するために必要なパワー以上であることを決定する場合、前記ダウンリンクサービスにアクセスするために構成されるアクセスユニット２０４とを含む。
図３に示す実施形態において、ダウンリンクサービスアドミッション制御装置は、
【００５０】
第１の決定ユニット２０２がセルの残存するダウンリンクのＰＢの数がダウンリンクサービスを実行するために必要なＲＢの数より小さいことを決定する場合、ダウンリンクサービスへのアクセスを拒否するために構成される第１の拒否ユニット３０１を更に含んでもよい。
図４に示す実施形態において、ダウンリンクサービスアドミッション制御装置は、
【００５１】
第２の決定ユニット２０３がセルの残存するダウンリンクのパワーがダウンリンクサービスを実行するために必要なパワーより小さいことを決定する場合、ダウンリンクサービスへのアクセスを拒否するために構成される第２の拒否ユニット4０１を更に含んでもよい。
【００５２】
本発明の実施形態において、ダウンリンクサービスによって開始されるアドミッション要求メッセージを受信し、アドミッション要求メッセージに、前記ダウンリンクサービスのサービス伝送レートが含まれ、ダウンリンクサービスのサービス伝送レートに応じて、ダウンリンクサービスを実行するために必要なＲＢの数を決定し、セルの残存するダウンリンクのＰＢの数がダウンリンクサービスを実行するために必要なＲＢの数以上である場合、ダウンリンクサービスを実行するために必要なＲＢの数及びセルの無線環境に応じて、ダウンリンクサービスを実行するために必要なパワーを決定し、セルの残存するダウンリンクのパワーがダウンリンクサービスを実行するために必要なパワー以上である場合、ダウンリンクサービスにアクセスする。本発明の実施形態において、セルの残存するダウンリンクのＰＢの数がダウンリンクサービスを実行するために必要なＲＢの数を満たすことができるかどうかを考慮するだけではなく、セルの残存するダウンリンクのパワーがダウンリンクサービスを実行するために必要なパワーを満たすことができるかどうかも考慮することで、ＲＢリソースが十分あるが、十分なパワーが割り当てられず、サービス伝送におけるより高いビット誤り率を引き起こし、更に伝送失敗が発生する可能性があることを回避できる。
【００５３】
本発明の実施形態により提供されるダウンリンクサービスアドミッション制御方法によれば、ＲＢリソースのみを考慮する従来のアドミッション方法の欠点を補い、ＭＡＣ層におけるスケジューリングに不足が存在する場合でさえも、アクセス待ちサービスの許可を正確に行い、これによって、サービスがセルを許可された後に、そのサービスをビット誤り率等のような伝送要求に適合させ、システムの安定性を向上させ、セルの様々位置でユーザーエクスペリエンスを確保する。  また、本発明の実施形態により提供されるダウンリンクサービスアドミッション制御方法は、多種類の無線環境に適用され、セルでのサービス伝送の基本的な品質要求を保証でき、ユーザーエクスペリエンスを向上させることに有利である。
【００５４】
上記のものは本発明の好適な実施形態に過ぎず、本発明はこれに限定されず、種々の変更形態および変形形態が当業者によって可能である。また、特許請求の範囲に規定される本発明の思想及び範囲に逸脱しない限り、あらゆる変更、均等な代替物、および改良が可能であることを理解されたい。
【図１】
0005438841.tif 000002
【図２】
0005438841.tif 000003
【図３】
0005438841.tif 000004
【図４】
0005438841.tif 000005